(57)【要約】【課題】装置の稼働率に支障を来すことなく、イオン源のクリーニングを行うイオンビーム照射装置を提供する。【解決手段】イオンビーム照射装置ＩＭは、イオン源ＩＳと、基板４へのイオンビーム照射処理が施される処理室５と、第一のカセット７から未処理基板を取り出して処理室５内に搬送するとともに、処理室５内で未処理基板がイオンビーム照射処理された後に、処理室５から処理済基板を第一のカセット７に搬送し、第一のカセット７内に収納されるべき処理済基板が全て収納された後に、第二のカセット７１から未処理基板を取り出して、再び処理室５内に搬送する基板搬送機構と、を備え、第一のカセット７もしくは第三のカセット７２に収納される最後の基板に対するイオンビーム照射処理が終了してから、第二のカセット内７１から取り出された初めの基板に対するイオンビーム照射処理が開始されるまでの間に、イオン源ＩＳのクリーニングを行う。【選択図】  図４
2014120347.tif 000002
【特許請求の範囲】
【請求項１】
イオンビームを発生させるイオン源と、
前記イオンビームが基板に照射される処理室と、
複数枚の基板が収納された第一のカセットから未処理基板を１枚もしくは複数枚ごとに取り出して前記処理室内に搬送するとともに、前記処理室内で未処理基板がイオンビーム照射処理された後に、前記処理室から処理済基板を同一もしくは別の第三のカセットに搬送し、前記第一のカセットもしくは前記第三のカセット内に収納されるべき処理済基板が全て収納された後に、第二のカセットから未処理基板を１枚もしくは複数枚ごとに取り出して、再び前記処理室内に搬送する基板搬送機構と、を備えたイオンビーム照射装置であって、
前記第一のカセットもしくは前記第三のカセットに収納される最後の基板に対するイオンビーム照射処理が終了してから、前記第二のカセットから取り出された最初の基板に対するイオンビーム照射処理が開始されるまでの間に、前記イオン源の運転パラメータを設定変更して、前記イオン源のクリーニングを行う制御装置を備えたイオンビーム照射装置。
【請求項２】
前記第一のカセット内の基板と、第二のカセット内の基板に対するイオンビーム照射処理の条件は異なっている請求項１記載のイオンビーム照射装置。
【請求項３】
前記制御装置によってクリーニング時に行われる前記イオン源の運転パラメータの設定変更機能を入り切りできるように構成されている請求項１または２記載のイオンビーム照射装置。
【請求項４】
前記イオン源のクリーニング時の運転パラメータが蓄積された記憶装置を備えていて、
クリーニング時には、前記制御装置は前記記憶装置より運転パラメータを読み出して、前記イオン源の運転パラメータの設定変更を行う請求項１乃至３のいずれかに記載のイオンビーム照射装置。
【請求項５】
前記記憶装置には前記クリーニング用の運転パラメータが複数格納されていて、
前記記憶装置からの前記運転パラメータの読み出しは、前記イオン源の運転時間、イオンビーム照射条件、あるいは、前記イオン源で発生した放電回数のいずれかに基づいて行われている請求項１乃至３のいずれかに記載のイオンビーム照射装置。
【請求項６】
イオンビームを発生させるイオン源と、
前記イオンビームが基板に照射される処理室と、
複数枚の基板が収納された第一のカセットから未処理基板を１枚もしくは複数枚ごとに取り出して前記処理室内に搬送するとともに、前記処理室内で未処理基板がイオンビーム照射処理された後に、前記処理室から処理済基板を同一もしくは別の第三のカセットに搬送し、前記第一のカセットもしくは前記第三のカセット内に収納されるべき処理済基板が全て収納された後に、第二のカセットから未処理基板を１枚もしくは複数枚ごとに取り出して、再び前記処理室内に搬送する基板搬送機構と、を備えたイオンビーム照射装置であって、
前記第一のカセットもしくは前記第三のカセットに収納される最後の基板に対するイオンビーム照射処理が終了してから、前記第二のカセットから取り出された最初の基板に対するイオンビーム照射処理が開始されるまでの間に、前記イオン源の運転パラメータを設定変更して、前記イオン源のクリーニングが行われているイオンビーム照射装置の運転方法。
【発明の詳細な説明】
【技術分野】
【０００１】
本発明は、シリコンウェーハやガラス基板へイオンビームの照射を行って、当該ウェーハや基板へのイオンビーム照射処理を実施するイオンビーム照射装置で、特に、クリーニング機能を備えたイオンビーム照射装置と当該イオンビーム照射装置の運転方法に関する。
【背景技術】
【０００２】
イオン注入装置やイオンドーピング装置、イオンビーム配向装置といったイオンビーム照射装置では、イオン源からイオンビームを引出す運転を長時間続けると、イオン源の引出電極系を構成する電極やイオン源を構成するプラズマ生成容器の内部に堆積物が付着する。これを放置しておくと、引出電極系の電極間で異常放電を引き起こしてしまう。
【０００３】
この異常放電の発生回数が多くなると、イオン源の正常運転を維持することができなくなるので、イオン源内部を必要に応じてクリーニングするということが行われていた。
【０００４】
このクリーニングの例として、特許文献１には、試料に対するイオン注入時以外のときにイオン源に水素ガスを導入し、イオン源内部で水素プラズマを発生させて、イオン源内部の堆積物をクリーニングする手法が開示されている。
【先行技術文献】
【特許文献】
【０００５】
【特許文献１】特許第２９５６４１２（図１）
【発明の概要】
【発明が解決しようとする課題】
【０００６】
特許文献１の手法では、試料に対するイオン注入時以外の時にイオン源内部で水素プラズマを発生させてクリーニングを行うことが記載されているが、その際にイオン注入装置の運転状態がどのような状態にあるのかが詳細には明らかにされていなかった。
【０００７】
例えば、イオン注入装置の運転を完全に停止させ、試料に対してイオン注入を行わない状態にしておいてイオン源の内部をクリーニングするということが考えられる。しかしながら、イオン注入装置の運転を完全に停止させてしまうと、装置の稼働率が低下してしまい、単位時間当たりに処理できる基板の処理枚数が減ってしまうといった問題が生じる。
【０００８】
そこで、本発明では、クリーニングを実施するタイミングを明らかにするとともに、イオンビーム照射装置の稼働率に支障を来すことなく、イオン源内部のクリーニングを行うことのできるイオンビーム照射装置およびイオンビーム照射装置の運転方法を提供する。
【課題を解決するための手段】
【０００９】
本発明のイオンビーム照射装置は、イオンビームを発生させるイオン源と、前記イオンビームが基板に照射される処理室と、複数枚の基板が収納された第一のカセットから未処理基板を１枚もしくは複数枚ごとに取り出して前記処理室内に搬送するとともに、前記処理室内で未処理基板がイオンビーム照射処理された後に、前記処理室から処理済基板を同一もしくは別の第三のカセットに搬送し、前記第一のカセットもしくは前記第三のカセット内に収納されるべき処理済基板が全て収納された後に、第二のカセットから未処理基板を１枚もしくは複数枚ごとに取り出して、再び前記処理室内に搬送する基板搬送機構と、を備えたイオンビーム照射装置であって、前記第一のカセットもしくは前記第三のカセットに収納される最後の基板に対するイオンビーム照射処理が終了してから、前記第二のカセットから取り出された最初の基板に対するイオンビーム照射処理が開始されるまでの間に、前記イオン源の運転パラメータを設定変更して、前記イオン源のクリーニングを行う制御装置を備えている。
【００１０】
第一のカセットまたは第三のカセットに収納される最後の基板に対するイオンビーム照射処理が終了してから、第二のカセットから取り出された最初の基板に対するイオンビーム照射処理が開始されるまでの間は、イオンビーム照射装置としては基板搬送機構が駆動しているが、イオンビーム照射処理の対象となる基板が処理室内に存在していないため、イオン源はどのような運転状態であってもいい。このような期間に着目し、イオン源の運転パラメータを通常のものからクリーニング用の運転パラメータに設定変更して、イオン源のクリーニングを行うようにしたので、装置の稼働率に支障を来すことなく、十分にイオン源のクリーニングを行うことができるといった格別な効果を有している。
【００１１】
また、前記第一のカセット内の基板と、第二のカセット内の基板に対するイオンビーム照射処理の条件は異なっていてもいい。
【００１２】
また、前記制御装置によってクリーニング時に行われる前記イオン源の運転パラメータの設定変更機能を入り切りできるように構成されていることが望ましい。
【００１３】
イオン源の運転状態によっては、上述したクリーンニングが必要になるとは限らない。例えば、イオン源が新品である場合、堆積物の量がほとんどないため、クリーニングを行う必要がない。また、イオンビーム照射装置のオペレーターがクリーニング時にイオン源の運転パラメータの設定値をリアルタイムに変更できるようにしておくには、制御装置によってイオン源の運転パラメータの設定変更が自動的に切り替わらないようにしておく必要がある。このような点を考慮すると、制御装置によるクリーニングの自動化を入り切りできるような構成にしておくことが望まれる。
【００１４】
クリーニングを自動化で行う場合、前記イオン源のクリーニング時の運転パラメータが蓄積された記憶装置を備えていて、クリーニング時には、前記制御装置は前記記憶装置より運転パラメータを読み出して、前記イオン源の運転パラメータの設定変更を行うように構成しておくことが望ましい。
【００１５】
このようにしておくと、イオン源のクリーニングを簡単に自動化することができる。
【００１６】
また、イオン源の運転状態に応じて、クリーニングの条件を変えるようにしておいてもいい。その場合、前記記憶装置には前記クリーニング用の運転パラメータが複数格納されていて、前記記憶装置からの前記運転パラメータの読み出しは、前記イオン源の運転時間、イオンビーム照射条件、あるいは、前記イオン源で発生した放電回数のいずれかに基づいて行われるように構成しておくことが望ましい。
【００１７】
また、イオンビーム照射装置の運転方法としては、イオンビームを発生させるイオン源と、前記イオンビームが基板に照射される処理室と、複数枚の基板が収納された第一のカセットから未処理基板を１枚もしくは複数枚ごとに取り出して前記処理室内に搬送するとともに、前記処理室内で未処理基板がイオンビーム照射処理された後に、前記処理室から処理済基板を同一もしくは別の第三のカセットに搬送し、前記第一のカセットもしくは前記第三のカセット内に収納されるべき処理済基板が全て収納された後に、第二のカセットから未処理基板を１枚もしくは複数枚ごとに取り出して、再び前記処理室内に搬送する基板搬送機構と、を備えたイオンビーム照射装置であって、前記第一のカセット内に収納される最後の基板に対するイオンビーム照射処理が終了してから、前記第二のカセット内に収納される最初の基板に対するイオンビーム照射処理が開始されるまでの間に、前記イオン源のクリーニングが行われる。
【発明の効果】
【００１８】
第一のカセットまたは第三のカセットに収納される最後の基板に対するイオンビーム照射処理が終了してから、第二のカセットから取り出された最初の基板に対するイオンビーム照射処理が開始されるまでの間は、イオンビーム照射装置としては基板搬送機構が駆動しているが、イオンビーム照射処理の対象となる基板が処理室内に存在していないため、イオン源はどのような運転状態であってもいい。このような期間に着目し、イオン源の運転パラメータを通常のものからクリーニング用の運転パラメータに設定変更して、イオン源のクリーニングを行うようにしたので、装置の稼働率に支障を来すことなく、十分にイオン源のクリーニングを行うことができるといった格別な効果を有している。
【図面の簡単な説明】
【００１９】
【図１】イオンビーム照射装置の一例を表す平面図である。
【図２】カセットからの基板搬送の一例を表す平面図である。
【図３】カセットからの基板搬送の別の例を表す平面図である。
【図４】クリーニングが行われるタイミングについての説明図である。
【図５】制御装置周りの構成を表す模式図である。
【発明を実施するための形態】
【００２０】
本発明に係るイオンビーム照射装置およびその運転方法に関し、図面を参照して以下に説明する。
【００２１】
イオンビーム照射装置の例として、図１にはイオン注入装置ＩＭが描かれている。簡単にこのイオンビーム照射装置ＩＭについて説明する。このイオンビーム照射装置ＩＭは、プラズマ生成容器１にイオンビーム３の発生源となるドーパントガス９（例えば、三フッ化ホウ素やホスフィン等）を導入して、図示されない複数の陰極から放出された熱電子によりこのガスを電離させ、プラズマ生成容器１に隣接配置された引出電極系２（加速電極２ａ、引出電極２ｂ、抑制電極２ｃ、接地電極２ｄ）を通して、Ｘ方向に長いリボン状のイオンビーム３を引出す構成のイオン源ＩＳを備えた装置である。なお、プラズマ生成容器１は、図示されるＸ方向に長くＹ方向に短い略立方体形状の外形を有していて、Ｚ方向に開口部を有する容器である。
【００２２】
イオン源ＩＳを構成するプラズマ生成容器１と引出電極系２を通して引出されたイオンビーム３は、質量分析電磁石１２と分析スリット１３を通過することで所望のイオンのみを含むイオンビームに質量分析される。その後、処理室５内に配置された基板４（例えば、シリコンウェーハやガラス基板等）に照射される。
【００２３】
Ｘ方向において、イオンビーム３の長さ寸法は、同方向における基板４の長さ寸法に比べて長い。この為、基板４を図示される矢印の方向に往復搬送させることで、基板４の全面にイオンビーム照射処理が施される。
【００２４】
処理室５の壁面には、イオンビーム電流計測器１４が設けられている。基板４へのイオンビーム照射処理に先立って、このイオンビーム電流計測器１４での計測結果をもとに、イオン源ＩＳの運転パラメータ（ドーパントガス９の流量や引出電極系２やプラズマ生成容器１に印加される電圧値、質量分析電磁石１２を構成するコイルに流す電流量、図示されない複数の陰極に印加される電圧値等）の調整が行われる。この調整により、所望する特性のイオンビーム３が基板４に照射される。
【００２５】
処理室５の外側に配置された第一のカセット７には複数枚の基板４が収納されている。第一のカセット７から第一の搬送ロボット８で基板４（未処理基板）を取り出して、第一の真空予備室６内に搬入する。次に、第一の真空予備室６内を真空雰囲気にした後、処理室５内へ基板４の搬入が行われる。基板４にイオンビーム照射処理が施された後、処理済の基板４（処理済基板）は処理室５から搬出されて、再び第一の真空予備室６内に搬入される。その後、第一の真空予備室６内の雰囲気を大気圧にして、第一の真空予備室６から第一の搬送ロボット８で基板４が取り出されて、第一のカセット７内に収納される。
【００２６】
第一の真空予備室６と処理室５との間、第一の真空予備室６の大気側の面（図示される処理室５と反対側の面）には、２つの空間を仕切る図示されないバルブが設けられていて、第一の真空予備室６内の雰囲気に基づいて開け閉めがなされるように構成されている。また、第一の真空予備室６には室内の真空度を調整する機構として図示されない真空ポンプ等が取り付けられている。さらに、第一の真空予備室６と処理室５とのいずれか一方には、基板４を搬送する為に、図示されない真空ロボット等の搬送手段が設けられている。
【００２７】
第一のカセット７内に収納されている全ての基板（未処理基板）に対して、イオンビーム照射処理が行われて、第一のカセット７内に全ての処理済基板が搬入されると、第二のカセット７１から新たな基板（未処理基板）の搬送が行われる。この未処理基板の搬送の際、第二の搬送ロボット８１によって、第二の真空予備室６１を通じて処理室５内に未処理基板の搬送が行われる。
【００２８】
イオンビーム照射装置ＩＭは、ドーパントガス９の他にクリーニングガス１０を封入したガスボンベを有している。後述するクリーニング時には、制御装置２０は、受信した処理情報Ｗ（基板に対するイオンビーム照射処理が終了したことを示す情報を含む）に基づいて、ガスの切り換えを行う信号Ｓ１と信号Ｓ２、図示されない陰極への印加電圧やプラズマ生成容器１への印加電圧を変化させる信号Ｓ３、引出電極系２への印加電圧を変化させる信号Ｓ４をそれぞれ出力するように構成されている。
【００２９】
図２と図３には、基板搬送に関する構成例が記載されている。図２の例は、図１の説明で述べた基板搬送の構成例と同一である。基板４は、第一のカセット７から第一の搬送ロボット８で取り出されて、第一の真空予備室６を通じて、処理室５内に搬入される。これが図示されるＬ１での処理に相当する。その後、基板４は図示されるＹ軸周りに約９０度回転させられて、その面がＸ軸とほぼ平行な姿勢になる。これが図示されるＬ２での処理に相当する。なお、処理室５には、基板を回転させるための図示されない回転機構が設けられている。
【００３０】
基板４の面がＸ軸とほぼ平行な姿勢にされた後、イオンビーム３を横切る方向に往復搬送されて、基板４の全面にイオンビーム照射処理が施される。これが図示されるＬ３での処理に相当する。イオンビーム照射処理後の処理済基板は、処理室５に搬入された経路とは逆の経路をたどり、第一のカセット７内に搬入される。これが図示されるＬ４での処理に相当する。
【００３１】
第一のカセット７内に未処理基板がなければ、第二のカセット７１の未処理基板が、第二の搬送ロボット８１、第二の真空予備室６１を通じて処理室５内に搬送される。これが図示されるＬ５での処理に相当する。このように、カセットから未処理基板を取り出して処理室５内に搬入し、処理室５内でイオンビーム３を横切るように未処理基板を往復搬送させて基板４の全面にイオンビーム照射処理を施し、処理済基板を処理室５からカセットに戻す一連の基板搬送に用いられる構成を、本発明では基板搬送機構と呼んでいる。
【００３２】
この基板搬送機構の構成は、図３のように構成してもよい。図にＬ１〜Ｌ３で記載されている処理は、図２で同じ符号を付けて説明した処理と同じ処理になるため、ここではその説明を省略する。この例では第一のカセット７から搬送された基板４に、イオンビーム照射処理が施された後、図示されない回転機構で約９０度回転させる。これが図示されるＬ２１の処理に相当する。その後、第二の真空予備室６１と第二の搬送ロボット８１を通じて、第三のカセット７２に搬送される。これが図示されるＬ４の処理に相当する。
【００３３】
第一のカセット７内の全ての未処理基板が処理室５でイオンビーム照射処理されて、第三のカセット７２に収納された後、第二のカセット７２から未処理基板の搬送が行われる。この際、第三のカセット７２への処理済基板の搬入と並行して、空になった第一のカセット７と複数の未処理基板が収納された第二のカセット７１との交換が行われる。このカセット交換に係る処理が、図示されるＬ５に相当する。
【００３４】
図４は、クリーニングを実施するタイミングについての説明図である。この図では、図２で説明した第一のカセット７から未処理基板を取り出して、第一のカセット７に処理済基板を返す構成の基板搬送機構が想定されている。
【００３５】
図示される基板１は第一のカセット７にある最後の未処理基板であって、基板２は第二のカセット７１にある最初に処理される未処理基板である。基板１、基板２から延びる矢印は時間軸を表し、時間軸上のＡ〜Ｆ点、ＩＢＦ点、ＩＢＳ点はそれぞれある時間における基板の位置を表している。
【００３６】
まず、基板１の経路について説明する。Ａ点で未処理基板が第一のカセット７から取り出される。その後、第一の搬送ロボット８によって搬送された未処理基板はＢ点で第一の真空予備室６内に搬入され、Ｃ点で第一の真空予備室６から取り出される。その後、未処理基板は処理室５内に搬入される。処理室５内に搬入された未処理基板にはイオンビーム照射処理が施され、ＩＢＦ点に到達したときに未処理基板へのイオンビーム照射処理が完了する。その後、処理済基板はＤ点で処理室５から第一の真空予備室６内に搬送され、Ｅ点で第一の真空予備室６から搬出される。そして、Ｆ点で第一のカセット７に収納される。
【００３７】
一方、基板１が第一のカセット７に収納されるのとほぼ同時に、基板２はＡ点で第二のカセット７１から取り出される。その後、第二の搬送ロボット８１によって搬送された基板４はＢ点で第二の真空予備室６１内に搬入され、Ｃ点で第二の真空予備室６１から取り出されて、処理室５内に搬入される。処理室５内に搬入された基板４にはイオンビーム照射処理が施され、ＩＢＳ点に到達したときに未処理基板へのイオンビーム照射処理が開始される。その後、イオンビーム照射処理を経た処理済基板はＤ点で処理室５から第二の真空予備室６内に搬送され、Ｅ点で第二の真空予備室６から搬出される。そして、Ｆ点で第二のカセット７に収納される。
【００３８】
ここで本発明では図示されるクリーニング期間の間に、クリーニングが実施されている。このクリーニング期間の間、基板搬送機構は運転状態にあるが、イオン源ＩＳは運転状態でなくてもいい。これはイオンビーム照射処理の対象となる基板が処理室５内に存在していないためである。
【００３９】
このように、イオンビーム照射装置を完全に停止させずにイオン源ＩＳのクリーニングを実施することができるので、イオンビーム照射装置の稼働率を維持させることができる。なお、このクリーニング期間の間、イオン源ＩＳのクリーニングは常に行われていない。イオンビーム３を停止させたり、イオンビーム３を再立上げさせたり、クリーニングガス１０とドーパントガス９を切り替えたりする時間が必要となるため、このようなクリーニングや基板へのイオンビーム照射処理のための準備期間を考慮に入れた上で、残りの期間がクリーニングに使用される。
【００４０】
クリーニングの手法については、様々な手法が考えられるが、もっとも簡単で効果的な手法としては、次に述べる手法が挙げられる。
【００４１】
イオンビーム照射処理用のイオンビーム３を生成するドーパントガス９とは別に、図１に描かれているようなクリーニングガス１０（例えば、水素ガスやアルゴンガス等）を封入したガスボンベを設けておく。このような構成のもと、基板４へのイオンビーム照射処理の終了後、即座にイオンビーム３の発生を停止させる。イオンビーム３の発生を停止させるには、例えば、ドーパントガス９の供給を停止させ、引出電極系２に接続されている図示されない電源の出力を停止し、図示されない陰極に接続されている電源の出力を停止するといったことを行えばいい。その後、イオンビーム照射装置の運転パラメータをクリーニング用の運転パラメータに切り換える。この運転パラメータの切り換えについては、図１に記載の制御装置２０を用いて行う。
【００４２】
クリーニング用の運転パラメータに切り換わると、クリーニングガス１０がプラズマ生成容器１内に供給される。そして、プラズマ生成容器１内の図示されない陰極から放出された熱電子によってクリーニングガス１０がプラズマ生成容器１内で電離されてプラズマ状態になる。このプラズマによって、プラズマ生成容器１の内部や引出電極系２を構成する加速電極２ａや引出し電極２ｂ等の表面に付着した堆積物の引き剥しが行われる。このようなクリーニング方法はプラズマクリーニングと呼ばれており、従来からよく用いられている。
【００４３】
クリーニングの開始から所定時間経過後、新たな基板４へのイオンビーム照射処理を行う為に、イオンビーム照射装置の運転パラメータが通常運転時の運転パラメータに切り換えられる。このようにして、基板４の搬送状態に応じて通常運転時の運転パラメータとクリーニング時の運転パラメータを交互に切り換えてやることで、隙間の時間を利用して、イオンビーム照射装置内部のクリーニングを実現することができる。
【００４４】
クリーニングの手法としては、種々の方法が考えられるが、イオンビーム照射装置の通常運転時の運転パラメータとは別に、最適なクリーニングができるイオン源ＩＳの運転パラメータを前もって実験等で求めておき、これを制御装置２０に記憶させておいても良い。
【００４５】
通常、イオンビーム照射装置には装置の運転を制御する制御装置２０が設けられているので、この制御装置２０内の一部に記憶装置としての機能を設けるようにしておくか、制御装置２０とは別に記憶装置を設けておくことが考えられる。図５には、制御装置２０と記憶装置３２が別々に設けられている例が記載されている。
【００４６】
このような記憶装置３２にクリーニング用の運転パラメータを格納しておき、処理情報Ｗに基づいて、クリーニング期間の間に制御装置２０によって記憶装置３２に信号ＳＳを送信して、クリーニング用の運転パラメータの情報である信号ＰＲを読み出してくるようにしておく。そして、クリーニング用の運転パラメータの情報である信号ＰＲに基づいて、イオン源ＩＳの各部に対して具体的な信号Ｓ１〜Ｓ４を送信するようにしておくことが考えられる。なお、制御装置２０には、基板４の搬送位置に関する情報も送信されるように構成されていて、この情報を基にして、クリーニングを終了させたり、イオンビーム３を再立上げさせたりしている。
【００４７】
このような手法であれば、イオン源ＩＳのクリーニングの度に、クリーニング用の運転パラメータを一から調整する必要がない。これにより、クリーングにかける時間を十分に確保することができるので、十分なクリーニング効果を得ることができる。その結果、より安定した状態でイオンビーム照射装置の運転を継続させることができる。
【００４８】
さらに、制御装置２０には、ユーザーインターフェース４０が接続されていて、このユーザーインターフェース４０を使用して、イオンビーム照射装置のオペレーターがクリーニング時に行われる制御装置２０によるイオン源ＩＳの運転パラメータの設定変更機能の入り切りができるように構成しておくことが考えられる。
【００４９】
イオン源の運転状態によっては、クリーンニングが必要になるとは限らない。例えば、イオン源が新品である場合、堆積物の量がほとんどないため、クリーニングを行う必要がない。このような場合は、クリーニングをする代わりに、イオン源ＩＳのプラズマ生成容器１内でのプラズマの生成を停止させるようにしておくことが考えられる。また、記憶装置３２に蓄積された運転パラメータとは違う条件で、装置のオペレーターが手動でクリーニング条件を設定してイオン源ＩＳのクリーニングを実施することが考えられる。
【００５０】
このような理由から、ユーザーインターフェース４０を使って、イオンビーム照射装置のオペレーターが制御装置２０の機能を入り切りできるようにしておくことが望ましい。例えば、ユーザーインターフェース４０への入力によって信号Ｒを制御装置２０に送信し、制御装置２０による運転パラメータの設定変更機能を停止させるように構成しておく。なお、このユーザーインターフェース４０を使用して、記憶装置３２にクリーニング時の運転パラメータを信号Ｉとして送信し、これを記憶させるように構成しておいてもよい。
【００５１】
また、イオン源の運転時間、イオンビーム照射条件（イオン種やイオンビーム電流量等）、あるいは、イオン源で発生した放電回数等によってクリーニングにかける時間を長くしたり、クリーニング時に発生させるプラズマ密度を濃くしたりすることが考えられる。この為、クリーニング用の運転パラメータを複数設けておき、これをイオンビーム照射装置やイオン源の状態に応じて使い分けるようにしておくことが考えられる。
【００５２】
イオン源ＩＳの運転時間が長くなればそれだけイオン源ＩＳ内に堆積される堆積物の量も多くなることが考えられる。このような場合に備えて、記憶装置３２にクリーニング用の運転パラメータを複数格納しておく。例えば、この場合、イオン源ＩＳの運転時間を知らせる信号Ｍを制御装置２０に送信して、これを制御装置２０内に格納された基準時間と比較する。そして、基準時間を超えた場合には、もう一段階強いクリーニングを行う為のクリーニング用の運転パラメータを記憶装置３２から読み出してくるようにしておくことが考えられる。
【００５３】
また、イオンビームの発生に用いられるドーパントガスの種類に応じて堆積物の種類が異なることが考えられるので、ガス種の異なる複数のクリーニングガスを設けておき、ドーパントガスの種類に応じてクリーングガスの種類を切り換えるようにしてもよい。
【００５４】
また、イオン源ＩＳ内部での堆積物の量が多くなると、イオン源ＩＳの引出電極系２での放電が頻繁に発生する。そのため、引出電極系２を流れる電流値をモニターしておき、基準となる電流値から大きく変化した回数をカウントするようにして、放電頻度を算出し、この放電頻度に基づいて、複数あるクリーニング用の運転パラメータからその一つを選択するようにしてもよい。この場合も、イオン源ＩＳの運転時間の場合と同じく、放電回数を示す信号Ｎを制御装置２０に送信するようにしておく。
【００５５】
クリーニングガス１０を用いてクリーニングを行っている間、基板４へのイオンビーム照射処理に用いられるイオンビーム３は発生していない。その為、クリーニング後に再びイオンビーム照射処理を行う為に、イオンビーム３を再立ち上げさせることが必要となる。このイオンビーム３の再立ち上げにあたっては、次のような工夫をすることが考えられる。
【００５６】
イオンビーム３の再立ち上げ時にはイオンビーム電流はしばらく不安定な状態となる。これはプラズマ生成容器１内に導入されるドーパントガス９の流量が十分に供給されていなかったり、ポンプによる排気は行ってはいるもののイオンビーム３の輸送経路にしばらくクリーニングガス１０が残留していて、この残留ガスに再立ち上げされたイオンビーム３が衝突したりする等の理由による。
【００５７】
イオンビーム電流計測器１４で不安定なイオンビーム電流を計測した場合、基板４に照射されるべき電流量のイオンビーム３が発生していないと誤認識してしまい、イオンビーム照射装置がエラー信号を発生して、装置の運転が停止されてしまう恐れがある。また、イオンビーム照射処理の実施前に装置運転に関わる各種パラメータの調整を行ってイオンビーム電流量やイオンビーム電流密度分布の調整を行う機能を備えたイオンビーム照射装置の場合、不安定なイオンビーム電流の計測によって制御がスムーズに収束しない恐れがある。
【００５８】
上述した問題を解決する為に、本発明ではクリーニングが終了してから所定時間経過した後にイオンビーム電流を計測するようにしている。ここで言う所定時間とは、予め実験等で求められた時間でイオンビーム電流が実質的に安定状態になるまでの時間のことを意味している。このような構成を採用することにより、クリーニングの終了後に続くイオンビームの再立ち上げ処理と再立上げされたイオンビームによるイオンビーム照射処理を支障なく実現することが可能となる。
【００５９】
なお、所定時間経過前にイオンビーム電流計測器１４にイオンビーム３は照射されている状態であっても良い。その場合には、イオンビーム電流の計測値として所定時間経過後のものを使用するようにしておく。また、図１の例では、イオンビーム電流計測器１４は処理室５の壁面に固定されていたが、これに代えて、イオンビーム３が照射される経路に出入りする移動式のイオンビーム電流計測器を用いても良い。
【００６０】
＜その他の変形例＞
これまでに述べた本発明で用いられるイオンビーム照射装置の例としては、第一のカセット７、第二のカセット７１を大気側に配置しておくタイプのものであったが、これらのカセットを第一の真空予備室６、第二の真空予備室６１に導入するタイプのイオンビーム照射装置にも適用できる。この場合、これまでの例と同様に基板への処理が終了した段階から、当該基板が回収用のカセットに収納されて、別のカセットから供給された基板が処理室５内でイオンビーム照射処理されるまでの間にイオン源ＩＳのクリーニングを行うようにしておけばいい。
【００６１】
本発明は、特に、カセットに収納された基板へのイオンビーム照射処理条件が異なる場合に用いることが考えられる。あるイオンビーム照射処理条件で処理された基板と、別のイオンビーム照射処理条件で処理される基板とを、装置内部で混在させることは、次に処理される基板の特性に悪影響を及ぼす恐れがあるため、あまり好ましくない。よって、処理済基板をカセットに戻してから、未処理基板を別のカセットから取り出すようにして、装置内部での基板の混在を避けるように構成しておく。
【００６２】
また、図１の例で挙げたイオンビーム照射装置は、質量分析型のイオンビーム照射装置であったが、質量分析電磁石１２や分析スリット１３を備えない非質量分析型のイオンビーム照射装置にも本発明を適用することができる。
【００６３】
さらに、これまでの実施形態で説明したイオン源ＩＳは電子衝撃型のものであったが、高周波型のイオン源であってもよい。その場合、イオン源ＩＳのクリーニング時には、制御信号２０からの信号に応じて、アンテナに接続された高周波電源の出力値が制御されるように構成しておく。
【００６４】
また、これまでの実施形態では基板４の搬送は１枚ずつ搬送されるものであったが、複数枚の基板を一度に搬送し、これらの基板に対して順次イオンビームが照射されるような構成の装置であってもよい。さらに、基板へのイオンビーム照射時において、基板を往復搬送させずに、片道搬送させるように構成しておいてもいい。
【００６５】
前述した以外に、本発明の要旨を逸脱しない範囲において、各種の改良および変更を行っても良いのはもちろんである。
【符号の説明】
【００６６】
１・・・プラズマ生成容器
２・・・引出電極系
３・・・イオンビーム
４・・・基板
５・・・処理室
６・・・第一の真空予備室
６１・・・第二の真空予備室
７・・・第一のカセット
７１・・・第二のカセット
８・・・第一の基板ロボット
８１・・・第二の基板ロボット
【図１】
2014120347.tif 000003
【図２】
2014120347.tif 000004
【図３】
2014120347.tif 000005
【図４】
2014120347.tif 000006
【図５】
2014120347.tif 000007